【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
ユーザ装置からネットワーク要素への無線アップリンクを構成設定するために，セル特定パラメータと無線リンク特定パラメータとの双方を有する情報要素を，前記ネットワーク要素と無線ネットワークコントローラとの間のインタフェース上のそれぞれのメッセージによって受信するステップと，
前記ネットワーク要素において前記無線アップリンクを構成設定するステップと，
前記ネットワーク要素において前記無線アップリンクを構成設定した後に，前記無線アップリンクを介して前記ユーザ装置から前記ネットワーク要素への前記ペイロードパケットを受信するステップと，
を有する方法。
【請求項２】
前記ネットワーク要素から前記ユーザ装置への無線ダウンリンク上で，前記ネットワーク要素において前記ペイロードパケットが正しく受信されたことを肯定応答するステップと，
前記ユーザ装置からの前記の正しい受信に続いて，前記ネットワーク要素から前記無線ネットワークコントローラへ前記ペイロードパケットを送信するステップと，
を更に有する請求項１に記載の方法。
【請求項３】
ネットワーク要素と，信号インタフェースによって接続され，ユーザ装置から前記ネットワーク要素への無線アップリンクを構成設定するようになっている無線ネットワークコントローラとを備え，前記インタフェースはパラメータを含む情報要素を有するメッセージを搬送するようになっており，
セル特定パラメータと無線リンク特定パラメータとの双方を有する前記情報要素は，前記ネットワーク要素と前記無線ネットワークコントローラとの間の前記インタフェース上のそれぞれのメッセージ内にあり，かつ，
前記ユーザ装置は，ペイロードパケットを前記無線ネットワークコントローラへ送信するために前記ユーザ装置において前記無線アップリンクを構成設定した後に，前記ペイロードパケットを前記ネットワーク要素へ前記無線アップリンクを介して送信するようになっているシステム。
【請求項４】
計算機可読媒体内に少なくとも一時的に記憶されるように構成したデータ構造であって，該データ構造は，
セル特定パラメータと無線リンク特定パラメータとの双方を有する情報要素であって，ユーザ装置からネットワーク要素への無線アップリンクを構成設定するために，前記ネットワーク要素と無線ネットワークコントローラとの間のインタフェース上でそれぞれのメッセージによって転送される情報要素を含み，
ここで前記の構成設定は，前記無線アップリンクを介して前記ユーザ装置から前記ネットワーク要素へ，そして該ネットワーク要素から前記無線ネットワークコントローラへペイロードパケットを送信できるようにするために実行されるデータ構造。
【請求項５】
装置であって，
ユーザ装置からネットワーク要素への無線アップリンクを構成設定するために，セル特定パラメータと無線リンク特定パラメータとの双方を有する情報要素を，前記装置からネットワーク要素へそれぞれのメッセージによって伝送するように構成した前記第１のインタフェースと，
第１の無線ネットワークコントローラとする前記装置と，第２のネットワーク要素に接続されている第２の無線ネットワークコントローラとの間で前記情報要素を伝送するように構成した前記第２のインタフェースと，
を備える装置。
【請求項６】
無線アップリンク上のアップリンクチャネルを構成設定するために，セル特定パラメータと無線リンク特定パラメータとの双方を有する情報要素を，ネットワーク要素とする装置と無線ネットワークコントローラとの間のそれぞれのメッセージによって伝送するようになっている第１のインタフェースと，
前記ネットワーク要素とユーザ装置との間の前記アップリンクチャネルの前記構成設定に関連する信号を伝送し，前記無線アップリンク上の前記アップリンクチャネルの前記構成設定が前記ネットワーク要素によって実行された後，前記無線アップリンクを介して前記ユーザ装置から前記ネットワーク要素へのペイロードパケットを受信するようになっている第２のインタフェースと，
を備え，
ここで前記第１のインタフェースはまた，前記ペイロードパケットが前記ユーザ装置から前記ネットワーク要素によって受信された後に，前記ネットワーク要素から前記無線ネットワークコントローラへ前記ペイロードパケットを搬送するようにもなっている装置。
【請求項７】
装置であって，
ユーザ装置とする前記装置とネットワーク要素との間のインタフェースを介して信号を送信及び受信するように構成した送受信器と，
ユーザ装置からネットワーク要素への無線アップリンクを構成設定するために，前記ネットワーク要素と前記ユーザ装置との間の信号を処理するようになっている制御部と，
を備え，
前記ユーザ装置は，前記無線アップリンクが構成設定された後，前記無線アップリンクを介して前記ユーザ装置から前記ネットワーク要素へペイロードを送信するように構成する装置。
【請求項８】
計算機可読媒体内に少なくとも一時的に記憶されるように構成したデータ構造であって，該データ構造は，
セル特定パラメータと無線リンク特定パラメータとの双方を有する情報要素であって，ユーザ装置からネットワーク要素への無線アップリンクを構成設定するために，前記ネットワーク要素と前記ユーザ装置との間のインタフェース上でそれぞれのメッセージによって転送される情報要素を含み，
ここで前記の構成設定は，前記無線アップリンクを介して前記ユーザ装置から前記ネットワーク要素へ，そして該ネットワーク要素から無線ネットワークコントローラへペイロードパケットを送信できるようにするために実行されるデータ構造。
【請求項９】
前記他のネットワーク要素と前記ユーザ装置との間の前記無線アップリンクの前記構成設定は，前記他のネットワーク要素と前記ユーザ装置との間の前記無線アップリンクを構成設定するステップに引き続き，前記無線ネットワークコントローラへ前記ペイロードパケットを送信するために，前記ユーザ装置と前記他のネットワーク要素との間の前記無線アップリンクを介して，前記ユーザ装置から前記他のネットワーク要素へ前記ペイロードパケットを送信するステップを有する請求項１に記載の方法。
【請求項１０】
前記ネットワーク要素から前記ユーザ装置への無線ダウンリンク上で，前記ネットワーク要素において前記ペイロードパケットが正しく受信されたことを肯定応答するステップと，
前記ネットワーク要素から前記ユーザ装置への無線ダウンリンク上で，前記他のネットワーク要素において前記ペイロードパケットが正しく受信されたことを肯定応答するステップと，
を更に有する請求項９に記載の方法。
【請求項１１】
前記ネットワーク要素による前記の受信ステップは，境界であってその中で前記ネットワーク要素によって選択が行われる境界を指示する少なくとも１つのパラメータを受信するステップを含む請求項１に記載の方法。
【請求項１２】
装置であって，
セル特定パラメータと無線リンク特定パラメータとの双方を有する情報要素を，ネットワーク要素とする前記装置と無線アップリンクのアップリンクチャネルを構成設定する無線ネットワークコントローラとの間のそれぞれのメッセージによって伝送する第１手段と，
前記ネットワーク要素と前記ユーザ装置との間のアップリンクチャネルの前記構成設定に関係する信号を伝送し，前記無線アップリンク上のアップリンクチャネルの前記構成設定が前記ネットワーク要素によって実行された後で，前記無線アップリンクを介して前記ユーザ装置から前記ネットワーク要素へのペイロードパケットを受信するようになっている第２手段と，
を備え，
前記第１手段はまた，前記ペイロードパケットが前記ユーザ装置から前記ネットワーク要素によって受信された後に，前記ネットワーク要素から前記無線ネットワークコントローラへ前記ペイロードパケットを搬送する装置。
【請求項１３】
前記ネットワーク要素は，前記ネットワーク要素から前記ユーザ装置への無線ダウンリンク上で前記ペイロードパケットの受信を肯定応答するようになっている請求項１２に記載の装置。
【請求項１４】
ユーザ装置からネットワーク要素への無線アップリンクを構成設定するために，セル特定パラメータと無線リンク特定パラメータとの双方を有する情報要素を，無線ネットワークコントローラから前記ネットワーク要素へのインタフェース上のそれぞれのメッセージによって送信するステップと，
構成設定された前記無線アップリンクを介して前記ユーザ装置から前記ネットワーク要素へ前記ペイロードパケットが送信された後，ネットワーク要素からペイロードパケットを受信するステップと，
を有する方法。
【請求項１５】
前記無線ネットワークコントローラによる前記の送信ステップは，境界であってその中で前記ネットワーク要素によって選択が行われる境界を指示する少なくとも１つのパラメータを前記ネットワーク要素へ送信するステップを含む請求項１４に記載の方法。
【請求項１６】
他のネットワーク要素と前記ユーザ装置との間のアップリンクを構成設定するために，前記無線ネットワークコントローラと他の無線ネットワークコントローラとの間のインタフェース上で，前記情報要素を前記の他のネットワーク要素へ中継するために送信するステップを更に有する請求項１４に記載の方法。
【請求項１７】
前記ネットワーク要素と前記無線ネットワークコントローラとの間の前記インタフェース上で前記情報要素を送信する前記のステップの前に，前記無線ネットワークコントローラが，前記無線ネットワークコントローラから前記ネットワーク要素へ，前記インタフェース上の前記の１以上のメッセージによって前記セル特定パラメータと前記無線リンク特定パラメータとの双方を有する前記情報要素を送信する前記のステップのために，前記セル特定パラメータ，前記無線リンク特定パラメータ又はその双方の値を決定する請求項１４に記載の方法。
【請求項１８】
前記無線ネットワークコントローラが，前記セル特定パラメータ，前記無線リンク特定パラメータ又はその双方の提案された値を有する前記ネットワーク要素からの信号に反応し，かつ前記無線ネットワークコントローラは前記の提案された値を確認又は変更する前記情報要素を送信する前記のステップを実行する請求項１４に記載の方法。
【請求項１９】
前記情報要素は，前記第２のネットワーク要素と前記ユーザ装置との間の第２の無線アップリンクを構成設定するようになっており，
前記第１の無線ネットワークコントローラは，前記第１のインタフェースを介して前記ネットワーク要素からペイロードパケットを受信するように構成し，
前記第２の無線ネットワークコントローラは，前記ペイロードパケットを前記第２のネットワーク要素が前記ユーザ装置から前記第２の無線アップリンクを介して受信した後で前記第２のネットワーク要素から受信するように構成し，
前記第２の無線ネットワークコントローラは更に，前記ペイロードパケットを前記第２の無線ネットワークコントローラから前記第１の無線ネットワークコントローラへ転送するために，前記第２のネットワーク要素が前記ユーザ装置から受信した後で，前記第２のネットワーク要素から受信した前記ペイロードパケットを前記第１の無線ネットワークコントローラへ送信するように構成する，
請求項５に記載の装置。